【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
薄膜ラベルと、担体膜とを備えるラベルシステムであって、前記ラベルは、水性もしくは溶剤ベースの前駆体配合物から得られ得るオーバープリント層と、印字層と、接着剤層とを備え、前記印字層は、前記オーバープリント層と前記接着剤層との間に位置し、前記ラベルは、２．５４μｍ〜３８．１μｍに及ぶ厚さを有し、好ましくは、前記ラベルの前記厚さは、１０．１６μｍ〜１５．２４μｍに及ぶ、システム。
【請求項２】
前記担体膜は、第１の側面上に第１の剥離層を備え、前記システムが巻取されるかまたは積み重ねられるときに、前記第１の剥離層は、前記接着剤層と接触している、請求項１に記載のシステム。
【請求項３】
前記担体膜は、第２の側面上に第２の剥離層をさらに備える、請求項２に記載のシステム。
【請求項４】
前記オーバープリント層は、ＡＳＴＭ−Ｄ１００３によって測定されるようにヘーズメータを使用して判定されるような、０％〜２０％に及ぶ、好ましくは、０％〜１０％に及ぶヘーズ測定と、ＡＳＴＭ  Ｄ８８２によって測定されるような、５０％またはそれを上回る破断までの伸長とを有する、請求項１に記載のシステム。
【請求項５】
前記水性もしくは溶剤ベースの前駆体配合物は、アクリルウレタンハイブリッドポリマー分散体、水性ベースもしくは溶剤ベースの溶液ポリマーまたはコポリマー、１部ポリウレタン系、２部ポリウレタン系、およびエポキシ系から成る群から選択される前駆体材料を含む、請求項１に記載のシステム。
【請求項６】
前記オーバープリント層は、アクリルウレタンハイブリッドポリマー分散体、ポリウレタン分散体、ポリエステルポリウレタン分散体、またはエポキシ系から形成される、請求項１に記載のシステム。
【請求項７】
前記接着剤層は、感圧接着剤、紫外線硬化感圧コーティング、熱活性化／熱硬化接着剤、接触活性化接着剤、流体活性化可能接着剤、および２部熱硬化接着剤から成る群から選択される接着剤を含む、請求項１〜６のいずれか１項に記載のシステム。
【請求項８】
前記接着剤は、感圧接着剤であり、前記担体膜は、第１の剥離層および第２の剥離層を備え、
前記第１の剥離層は、前記感圧接着剤と接触し、
前記第２の剥離層は、前記オーバープリント層と接触し、
前記第１の剥離層は、前記第２の剥離層が前記オーバープリント層から分離するよりも容易に前記感圧接着剤から分離する、請求項７に記載のシステム。
【請求項９】
担体膜上に複数の薄膜ラベルを備える薄膜ラベル群であって、各薄膜ラベルは、水性もしくは溶剤ベースの前駆体配合物から得られ得るオーバープリント層と、印字層と、接着剤層とを備え、前記印字層は、前記オーバープリント層と前記接着剤層との間に位置し、前記ラベルはそれぞれ、２．５４μｍ〜３８．１μｍに及ぶ厚さを有し、各ラベルは、前記群の中の他のラベルと不連続である、群。
【請求項１０】
前記担体膜は、第１の側面上に第１の剥離層を備え、前記システムが巻取されるかまたは積み重ねられるときに、前記第１の剥離層は、前記接着剤層と接触している、請求項９に記載の群。
【請求項１１】
前記担体膜は、第２の側面上に第２の剥離層をさらに備えるか、または、前記オーバープリント層および前記接着剤層は、前記印字層が位置する場所にのみ存在する、請求項１０に記載の群。
【請求項１２】
前記薄膜ラベルのそれぞれの中の前記印字層は、完全な印字の一部を含む、請求項９〜１１のいずれかに記載の群。
【請求項１３】
前記複数の薄膜ラベルが組み合わせられるとき、前記複数の薄膜ラベルは、完全な印字を形成する、請求項９〜１２のいずれかに記載の群。
【請求項１４】
前記オーバープリント層は、ＡＳＴＭ−Ｄ１００３によって測定されるようにヘーズメータを使用して判定されるような、０％〜２０％に及ぶ、好ましくは、０％〜１０％に及ぶヘーズ測定と、ＡＳＴＭ  Ｄ８８２によって測定されるような、５０％またはそれを上回る破断までの伸長とを有する、請求項９〜１３のいずれか１項に記載の群。
【請求項１５】
前記水性もしくは溶剤ベースの前駆体配合物は、アクリルウレタンハイブリッドポリマー分散体、水性ベースもしくは溶剤ベースの溶液ポリマーまたはコポリマー、１部ポリウレタン系、２部ポリウレタン系、および硬化性エポキシ系から成る群から選択される前駆体材料を含む、請求項９〜１４のいずれか１項に記載の群。
【請求項１６】
前記オーバープリント層は、アクリルウレタンハイブリッドポリマー分散体、ポリウレタン分散体、ポリエステルポリウレタン分散体、またはエポキシ系から形成される、請求項９〜１５のいずれか１項に記載の群。
【請求項１７】
前記接着剤層は、感圧接着剤、紫外線硬化感圧コーティング、熱活性化／熱硬化接着剤、接触活性化接着剤、流体活性化可能接着剤、および２部熱硬化接着剤から成る群から選択される接着剤を含む、請求項９〜１６のいずれか１項に記載の群。
【請求項１８】
前記接着剤は、感圧接着剤であり、前記担体膜は、第１の剥離層および第２の剥離層を備え、
前記第１の剥離層は、前記感圧接着剤に接触し、
前記第２の剥離層は、前記オーバープリント層と接触し、
前記第１の剥離層は、前記第２の剥離層が前記オーバープリント層から分離するよりも容易に前記感圧接着剤から分離する、請求項１７に記載の群。
【請求項１９】
前記オーバープリント層および前記接着剤層は、前記印字層が位置する場所にのみ存在する、請求項１０に記載の群。
【請求項２０】
水性もしくは溶剤ベースの前駆体配合物から得られ得るオーバープリント層と、印字層と、接着剤層とを備える、薄膜ラベルであって、前記印字層は、前記オーバープリント層と前記接着剤層との間に位置し、前記ラベルはそれぞれ、２．５４μｍ〜３８．１μｍに及ぶ厚さを有する、薄膜ラベル。
【請求項２１】
前記オーバープリント層は、ＡＳＴＭ−Ｄ１００３によって測定されるようにヘーズメータを使用して判定されるような、０％〜２０％に及ぶ、最も好ましくは、０％〜１０％に及ぶヘーズ測定と、ＡＳＴＭ  Ｄ８８２によって測定されるような、５０％またはそれを上回る破断までの伸長とを有する、請求項２０に記載の薄膜ラベル。
【請求項２２】
前記水性もしくは溶剤ベースの前駆体配合物は、アクリルウレタンハイブリッドポリマー分散体、水性ベースもしくは溶剤ベースの溶液ポリマーまたはコポリマー、１部ポリウレタン系、２部ポリウレタン系、およびエポキシ系から成る群から選択される前駆体材料を含む、請求項２０または請求項２１に記載の薄膜ラベル。
【請求項２３】
オーバープリント層は、アクリルウレタンハイブリッドポリマー分散体、ポリウレタン分散体、ポリエステルポリウレタン分散体、またはエポキシ系から形成される、請求項２０〜２２のいずれかに記載の薄膜ラベル。
【請求項２４】
前記接着剤層は、紫外線硬化感圧コーティング、接触活性化接着剤、流体活性化可能接着剤、熱活性化／熱硬化接着剤、および２部熱硬化接着剤から成る群から選択される接着剤を含む、請求項２０〜２３のいずれか１項に記載の薄膜ラベル。
【請求項２５】
請求項１〜８のいずれか１項に記載のラベルシステム、または請求項１０〜１９のいずれか１項に記載の薄膜ラベル群を作製する方法であって、前記方法は、
（ａ）前記オーバープリント層を形成するための水性もしくは溶剤ベースの前駆体配合物を前記担体膜上に印刷またはコーティングすることと、
（ｂ）前記コーティングが硬化または乾燥して前記オーバープリント層を形成することを可能にすることと、
（ｃ）インク配合物を前記オーバープリント層上に１回または複数回印刷し、前記印字層を形成することと、
（ｄ）前記印字層の上および前記オーバープリント層の任意の露出部分の上に前記接着剤層を形成するための１つまたは複数の前駆体配合物をコーティングもしくは印刷し、前記接着剤層を形成することと
を含む、方法。
【請求項２６】
前記システムを巻くことをさらに含み、ロールが、前記担体膜上に複数のラベルを備える、請求項２５に記載の方法。
【請求項２７】
前記オーバープリント層は、ポリウレタンまたはエポキシを含み、かつ／または、前記接着剤層は、前記印字層および前記オーバープリント層の任意の露出部分の上に存在する、請求項１〜８のいずれかに記載のシステム。
【請求項２８】
前記オーバープリント層は、ポリウレタンまたはエポキシを含み、かつ／または、前記接着剤層は、前記印字層および前記オーバープリント層の任意の露出部分の上に存在する、請求項９〜１９のいずれかに記載の群。
【請求項２９】
前記オーバープリント層は、ポリウレタンまたはエポキシを含み、かつ／または、前記接着剤層は、前記印字層および前記オーバープリント層の任意の露出部分の上に存在する、請求項２０〜２４のいずれかに記載の薄膜ラベル。